(57)【要約】【課題】液晶表示ユニットの情報表示面の上に重ねて配置される計器用意匠板上の光輝用意匠部を光輝させる意匠を安価に実現することのできる車両用計器装置を提供すること。【解決手段】種々の情報を情報表示面１１に表示する液晶表示ユニット１０と、液晶表示ユニット１０の情報表示面１１の上に重ねて配置される計器用意匠板４０と、計器用意匠板４０上に設定された光輝用意匠部４１を光輝させる意匠光輝機構５０と、を備える車両用計器装置において、意匠光輝機構５０は、液晶表示ユニット１０の光輝用意匠部４１の直下に位置する意匠部対応領域の画素の発光を制御する光輝制御回路５３を備え、意匠部対応領域の画素の発光を光輝用意匠部４１に照射して、光輝用意匠部４１を光輝させる。【選択図】図２
2015083948.tif 000002
【特許請求の範囲】
【請求項１】
車両の状態を示す種々の情報を情報表示面に画像表示する液晶表示ユニットと、
前記液晶表示ユニットの情報表示面が前面に露呈するように前記液晶表示ユニットを支持する装置ケースと、
前記液晶表示ユニットの前記情報表示面の上に重ねて配置されて計器用意匠の一部を構成する計器用意匠板と、
前記計器用意匠板上に設定された光輝用意匠部を光輝させる意匠光輝機構と、
を備える車両用計器装置であって、
前記意匠光輝機構は、前記液晶表示ユニットの前記光輝用意匠部の直下に位置する意匠部対応領域の画素の発光を制御する光輝制御回路を備え、前記意匠部対応領域の画素の発光を前記光輝用意匠部に照射して、前記光輝用意匠部を光輝させる
ことを特徴とする車両用計器装置。
【請求項２】
前記意匠光輝機構は、前記光輝用意匠部を含む前記計器用意匠板上の意匠配置領域の裏面に配置されて前記計器用意匠板を支持する意匠板支持枠部と、該意匠板支持枠部から延出して前記装置ケースに装備されている機構部材に結合される枠部結合部と、を有する意匠板支持枠体を備え、
前記意匠板支持枠部は、前記光輝用意匠部に対向する領域に、前記意匠部対応領域の画素の発光を前記光輝用意匠部に到達させる切欠を備えている、
ことを特徴とする請求項１に記載の車両用計器装置。
【請求項３】
前記意匠光輝機構は、前記計器用意匠板上の意匠配置領域と前記意匠板支持粋体の意匠板支持枠部とに挟持されて、前記意匠部対応領域の画素の発光を前記光輝用意匠部に誘導する導光板を備えている、
ことを特徴とする請求項２に記載の車両用計器装置。
【請求項４】
前記計器用意匠板は、前記情報表示面に表示される指針型計器の情報の周囲を縁取るリング状の装飾用枠板であり、
前記光輝用意匠部は、前記指針型計器の情報に関係する意匠の一部として計器用意匠板上に配列される目盛り意匠で、略直線状の光透過構造に形成されている、
ことを特徴とする請求項３に記載の車両用計器装置。
【発明の詳細な説明】
【技術分野】
【０００１】
本発明は、液晶表示ユニット（以下、ＬＣＤユニットと呼称する）の情報表示面の上に重ねて配置される計器用意匠板上の光輝用意匠部を光輝させる意匠を備える車両用計器装置に関する。
【背景技術】
【０００２】
図５及び図６は、下記特許文献１に開示された車両用計器装置を示している。
この車両用計器装置１００は、速度計や回転計などの複数の計器や警報器類を同一パッケージ内に配列したコンビネーションメータとして、車両のダッシュボードに配置される。
【０００３】
この車両用計器装置１００は、車両の状態を示す種々の情報を情報表示面１１１に画像表示するＬＣＤユニット１１０と、情報表示面１１１に表示する情報を制御する表示画像制御ユニット１２０と、情報表示面１１１が前面に露呈するようにＬＣＤユニット１１０を支持する筐体である装置ケース１３０と、情報表示面１１１の上に配置される計器用意匠板１４０と、情報表示面１１１の情報を表示しない外周部の領域を隠す見返し板１５０と、情報表示面１１１上の計器用意匠板１４０を図５の矢印Ｙ１方向に移動操作する枠移動機構１６０と、を備えている。
【０００４】
ＬＣＤユニット１１０は、その前面の略全域が、情報表示面１１１となっている。情報表示面１１１には、図５に示すように、エンジン回転数を表示する回転計画像１１１ａ、走行速度を表示する速度計画像１１１ｂ、走行距離を表示する距離計画像１１１ｃ、油圧を表示する油圧計画像１１１ｄ、燃料の残量を表示する燃料計画像１１１ｅ、ターンランプや各種の警報ランプなどの動作状態を表示するウォーニング画像１１１ｆ，１１１ｇ、など、車両の状態を示す各種の情報が画像表示される。
【０００５】
図示例の場合、回転計画像１１１ａと速度計画像１１１ｂと距離計画像１１１ｃとは、円形に一塊になった表示画像である特定情報ＴＤを構成している。
【０００６】
表示画像制御ユニット１２０は、ＬＣＤユニット１１０の背部に配置された回路基板１２１に搭載された制御回路である。この表示画像制御ユニット１２０は、情報表示面１１１に表示する情報の表示位置を図５の矢印Ｙ１方向に変位させる制御を行い、情報表示面１１１における各種情報の表示形態を、複数の表示パターンに切り替えることができる。
【０００７】
装置ケース１３０は、ＬＣＤユニット１１０や表示画像制御ユニット１２０を収容すると共に、見返し板１５０を支持する。
【０００８】
計器用意匠板１４０は、情報表示面１１１に表示される指針型計器の情報（回転計画像１１１ａ）の周囲を縁取るリング状である。この計器用意匠板１４０は、回転計画像１１１ａの周囲を囲って、回転計画像１１１ａの外周輪郭を明確化すると共に、回転計の外周を装飾する装飾リングとして機能する。この計器用意匠板１４０は、回転計としての計器用意匠の一部を構成している。
【０００９】
計器用意匠板１４０には、周方向に等間隔で、光輝用意匠部１４３が装備されている。この光輝用意匠部１４３は、図７に示すように、計器用意匠板１４０に貫通形成された開口部１４３１と、開口部１４３１の内奥に配置された配線基板１４３２に実装されたＬＥＤランプの光源１４３３と、開口部１４３１を覆う透明な窓板１４３４と、を備える。
【００１０】
この光輝用意匠部１４３は、光源１４３３を発光させることで、窓板１４３４を光輝させて、装飾効果を高める。
【００１１】
見返し板１５０は、情報表示面１１１の情報を表示しない外周部の領域を隠す。
【先行技術文献】
【特許文献】
【００１２】
【特許文献１】特開２００６−１３２９５１号公報
【発明の概要】
【発明が解決しようとする課題】
【００１３】
ところが、特許文献１の車両用計器装置１００のように、計器用意匠板１４０上に設定された光輝用意匠部１４３の光輝を、専用の光源１４３３の発光によって行う場合では、光源１４３３だけでなく、光源１４３３を支持する配線基板１４３２、光源１４３３の点灯を制御するための専用の制御回路や、配線等の多数の部品が必要になり、部品増による高額化を招くという問題が生じた。
【００１４】
そこで、本発明の目的は、上記課題を解消することに係り、液晶表示ユニットの情報表示面の上に重ねて配置される計器用意匠板上の光輝用意匠部を光輝させる意匠を安価に実現することのできる車両用計器装置を提供することにある。
【課題を解決するための手段】
【００１５】
本発明の前述した目的は、下記の構成により達成される。
（１）  車両の状態を示す種々の情報を情報表示面に画像表示する液晶表示ユニットと、
前記液晶表示ユニットの情報表示面が前面に露呈するように前記液晶表示ユニットを支持する装置ケースと、
前記液晶表示ユニットの前記情報表示面の上に重ねて配置されて計器用意匠の一部を構成する計器用意匠板と、
前記計器用意匠板上に設定された光輝用意匠部を光輝させる意匠光輝機構と、
を備える車両用計器装置であって、
前記意匠光輝機構は、前記液晶表示ユニットの前記光輝用意匠部の直下に位置する意匠部対応領域の画素の発光を制御する光輝制御回路を備え、前記意匠部対応領域の画素の発光を前記光輝用意匠部に照射して、前記光輝用意匠部を光輝させる
ことを特徴とする車両用計器装置。
【００１６】
（２）  前記意匠光輝機構は、前記光輝用意匠部を含む前記計器用意匠板上の意匠配置領域の裏面に配置されて前記計器用意匠板を支持する意匠板支持枠部と、該意匠板支持枠部から延出して前記装置ケースに装備されている機構部材に結合される枠部結合部と、を有する意匠板支持枠体を備え、
前記意匠板支持枠部は、前記光輝用意匠部に対向する領域に、前記意匠部対応領域の画素の発光を前記光輝用意匠部に到達させる切欠を備えている、
ことを特徴とする上記（１）に記載の車両用計器装置。
【００１７】
（３）  前記意匠光輝機構は、前記計器用意匠板上の意匠配置領域と前記意匠板支持粋体の意匠板支持枠部とに挟持されて、前記意匠部対応領域の画素の発光を前記光輝用意匠部に誘導する導光板を備えている、
ことを特徴とする上記（２）に記載の車両用計器装置。
【００１８】
（４）  前記計器用意匠板は、前記情報表示面に表示される指針型計器の情報の周囲を縁取るリング状の装飾用枠板であり、
前記光輝用意匠部は、前記指針型計器の情報に関係する意匠の一部として計器用意匠板上に配列される目盛り意匠で、略直線状の光透過構造に形成されている、
ことを特徴とする上記（３）に記載の車両用計器装置。
【００１９】
上記（１）の構成によれば、計器用意匠板上に設定された光輝用意匠部の光輝は、計器用意匠板の背面に位置する液晶表示ユニット上の画素の発光により実現する。即ち、液晶表示ユニット上の一部の領域の画素が、光輝用意匠部を光輝させる光源として機能する。そのため、光輝用意匠部を光輝させるための専用の光源が不要であり、専用の光源を支持する機構や、配線も不要になる。そのため、光輝用意匠部の光輝用に専用の光源を備える場合と比較すると、大幅に部品を削減することができ、部品削減により製造コストを低減させることができる。
【００２０】
従って、液晶表示ユニットの情報表示面の上に重ねて配置される計器用意匠板上の光輝用意匠部を光輝させる意匠を安価に実現することができる。
【００２１】
上記（２）の構成によれば、計器用意匠板を支持する意匠光輝機構の意匠板支持枠体は、光輝用意匠部に対向する領域に、意匠部対応領域の画素の発光を光輝用意匠部に到達させる切欠を備えている。そのため、意匠板支持枠体が、光輝用意匠部の光輝を妨げることがない。
【００２２】
また、計器用意匠板を支持する意匠光輝機構の意匠板支持枠体は、装置ケースに装備されている機構部材に結合される。そのため、意匠板支持枠体が結合される機構部材が、例えば、前記情報表示面上を横断する直線に沿って移動可能な部品とすれば、光輝する計器用意匠板が液晶表示ユニットの情報表示面上で移動して、計器としての見映えを切り替える計器意匠を実現することができる。
【００２３】
上記（３）の構成によれば、意匠部対応領域の画素の発光を導光板により計器用意匠板上の光輝用意匠部に誘導するため、光の漏れで光輝用意匠部以外の部分が照明されることを抑止して、光輝用意匠部を確実に光輝させることができる。
【００２４】
また、導光板により照明光の配光を均一化することができるため、光輝用意匠部における輝度のバラツキを低減することができる。
【００２５】
上記（４）の構成によれば、装飾用枠板は、回転計や速度計などの指針型計器の周囲を縁取るリング状であり、該装飾用枠板には、回転計や速度計などの指針型計器の意匠の一部である目盛り意匠が装備され、その目盛り意匠が光輝される。即ち、指針型計器において光輝する目盛り意匠を安価に実現することができ、コストの増加を抑えつつ、指針型計器を備えるコンビネーションメータの見映えを向上させることができる。
【発明の効果】
【００２６】
本発明による車両用計器装置によれば、液晶表示ユニットの情報表示面の上に重ねて配置される計器用意匠板上の光輝用意匠部を光輝させる意匠を安価に実現することができる。
【００２７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２８】
【図１】図１は本発明に係る車両用計器装置の一実施形態の斜視図である。
【図２】図２は図１に示した車両用計器装置における液晶表示ユニットと、計器用意匠板と、意匠板支持枠体と、の位置関係を示す斜視図である。
【図３】図３は図３に示した計器用意匠板の光輝用意匠部の構造を示す拡大断面図である。
【図４】図４は図３のＢ矢視図である。
【図５】図５は従来の車両用計器装置の正面図である。
【図６】図６は図５のＡ−Ａ断面図である。
【図７】図７は図６に示した計器用意匠板上の光輝用意匠部の拡大図である。
【発明を実施するための形態】
【００２９】
以下、本発明に係る車両用計器装置の好適な実施形態について、図面を参照して詳細に説明する。
【００３０】
図１〜図４は本発明に係る車両用計器装置の一実施形態を示したもので、図１は一実施形態の車両用計器装置の斜視図、図２は図１に示した車両用計器装置における液晶表示ユニットと、計器用意匠板と、意匠板支持枠体と、の位置関係を示す斜視図、図３は図３に示した計器用意匠板の光輝用意匠部の構造を示す拡大断面図、図４は図３のＢ矢視図である。
【００３１】
この一実施形態の車両用計器装置１は、図１及び図２に示すように、車両の状態を示す種々の情報を情報表示面１１に画像表示するＬＣＤユニット１０と、情報表示面１１に表示する情報を制御する表示画像制御ユニット２０と、情報表示面１１が前面に露呈するようにＬＣＤユニット１０を支持する筐体である装置ケース３０と、情報表示面１１の上に配置される計器用意匠板としての装飾用枠板４０と、装飾用枠板４０上に設定された光輝用意匠部である目盛り意匠４１を光輝させる意匠光輝機構５０と、情報表示面１１の情報を表示しない外周部の領域を隠す不図示の見返し板と、情報表示面１１上の装飾用枠板４０を図１の矢印Ｙ４方向に移動操作する不図示の枠移動機構と、を備えている。
【００３２】
ＬＣＤユニット１０は、その前面が、情報表示面１１となっている。ＬＣＤユニット１０は、図５に示したＬＣＤユニット１１０と同様な機能を備えたものである。従って、図示はしていないが、このＬＣＤユニット１０の情報表示面１１には、エンジン回転数を表示する回転計画像、走行速度を表示する速度計画像、走行距離を表示する距離計画像、油圧を表示する油圧計画像、燃料の残量を表示する燃料計画像、ターンランプや各種の警報ランプなどの動作状態を表示するウォーニング画像、など、車両の状態を示す各種の情報が画像表示される。
【００３３】
本実施形態の場合、情報表示面１１に表示される回転計画像と速度計画像と距離計画像とは、円形に一塊になった表示画像である特定情報ＴＤを構成している。なお、図１では、特定情報ＴＤは、単に画像の領域だけを示しており、具体的な画像は表示していない。
【００３４】
表示画像制御ユニット２０は、図６に示した表示画像制御ユニット１２０と同様な制御機能を有している。この表示画像制御ユニット２０は、情報表示面１１に表示する情報の表示位置を制御し、情報表示面１１における各種情報の表示形態を、複数の表示パターンに切り替えることができる。
【００３５】
ここに、各表示パターンは、特定情報ＴＤの表示領域の位置を図１の矢印Ｙ４方向に相異させると共に、特定情報ＴＤの位置に応じて、他の表示画像の配列を変更したものである。
【００３６】
言い換えると、表示画像制御ユニット２０は、表示パターンの切り替えによって、特定情報ＴＤの表示領域の位置を図１の矢印Ｙ４方向に変位させて、表示内容や見栄えの異なるメータ配列を実現する。
【００３７】
更に、本実施形態の表示画像制御ユニット２０には、意匠光輝機構５０を構成する後述の光輝制御回路５３が備えられている。この光輝制御回路５３については、後述する。
【００３８】
装置ケース３０は、ＬＣＤユニット１０や表示画像制御ユニット２０を収容すると共に、見返し板を支持している。
【００３９】
本発明に係る計器用意匠板としての装飾用枠板４０は、図１及び図２に示すように、情報表示面１１の上に重ねて配置される。また、装飾用枠板４０は、図１に示すように、情報表示面１１に表示される円形の特定情報ＴＤの周囲を縁取るリング状である。この装飾用枠板４０は、特定情報ＴＤに含まれる指針型計器（例えば、図５に示した回転計）の情報（画像）の周囲を縁取って、当該装飾用枠板４０自体が、計器用意匠の一部を構成する。
【００４０】
本実施形態の装飾用枠板４０は、速度計や回転計などの指針型計器としての意匠の一部として機能する複数の目盛り意匠４１が備えられている。それぞれの目盛り意匠４１は、光輝することによって意匠としての見映えを向上させる光輝用意匠部である。
【００４１】
各目盛り意匠４１は、リング状の装飾用枠板４０の前面に、周方向に等間隔で装備されている。
【００４２】
本実施形態の場合、目盛り意匠４１は、光が透過可能な光透過構造に形成される。本実施形態の場合、目盛り意匠４１は、図４に示すように、リング状の装飾用枠板４０の半径方向に延びる略直線状の切欠穴である。
【００４３】
意匠光輝機構５０は、計器用意匠板上に設定された目盛り意匠４１を光輝させる機構である。この意匠光輝機構５０は、図２及び図３に示すように、意匠板支持枠体５１と、導光板５２と、光輝制御回路５３と、を備えている。
【００４４】
意匠板支持枠体５１は、図２に示すように、意匠板支持枠部５１１と、一対の枠部結合部５１２と、を備えている。
【００４５】
意匠板支持枠部５１１は、目盛り意匠４１を含む装飾用枠板４０上の意匠配置領域４２に相応するリング状に形成されている。
【００４６】
本実施形態の場合、装飾用枠板４０はリング状であり、その前面に目盛り意匠４１が配置されている。そのため、装飾用枠板４０上の意匠配置領域４２とは、目盛り意匠４１が配置されている装飾用枠板４０のリング状の前面全域を意味する。本実施形態の意匠板支持枠部５１１は、装飾用枠板４０上の意匠配置領域４２の裏面に配置されて、装飾用枠板４０を支持する。
【００４７】
また、本実施形態の意匠板支持枠部５１１は、図２に示すように、目盛り意匠４１に対向する領域に、ＬＣＤユニット１０上の意匠部対応領域ＩＲ（図４参照）の画素の発光を目盛り意匠４１に到達させる切欠５１１ａを備えている、
【００４８】
一対の枠部結合部５１２は、意匠板支持枠部５１１から延出して設けられている。それぞれの枠部結合部５１２は、装置ケース３０に装備されている機構部品である不図示の枠移動機構に結合される。
【００４９】
なお、枠部結合部５１２が結合される不図示の枠移動機構は、本実施形態の場合は、図１の矢印Ｙ４方向に往復移動可能な機構部品である。その機構部品に枠部結合部５１２が結合されることで、装飾用枠板４０が矢印Ｙ４方向に移動可能になる。
【００５０】
導光板５２は、光が透過可能な透明な樹脂材料によって形成されている。また、導光板５２は、図３に示すように、装飾用枠板４０上の意匠配置領域４２と意匠板支持枠体５１の意匠板支持枠部５１１とに挟持されて、ＬＣＤユニット１０上の意匠部対応領域ＩＲの画素の発光を目盛り意匠４１に誘導する。
【００５１】
本実施形態の場合、導光板５２には、図３に示すように、目盛り用突起部５２１と、受光用突起部５２２と、を備えている。目盛り用突起部５２１は、目盛り意匠４１としての切欠に突入して目盛り意匠４１の一部として機能する。受光用突起部５２２は、意匠板支持枠体５１の切欠５１１ａから情報表示面１１側に突出した突起部で、ＬＣＤユニット１０上の意匠部対応領域ＩＲの画素の発光を受光する。
【００５２】
本実施形態の導光板５２は、ＬＣＤユニット１０上の意匠部対応領域ＩＲの画素の発光を受光用突起部５２２に受けると、受けた光を目盛り用突起部５２１に導き、目盛り用突起部５２１及び目盛り意匠４１としての切欠の縁を光輝させる。
【００５３】
光輝制御回路５３は、ＬＣＤユニット１０における画像の表示を制御する表示画像制御ユニット２０に組み込まれた回路である。この光輝制御回路５３は、ＬＣＤユニット１０の目盛り意匠４１の直下に位置する意匠部対応領域ＩＲの画素の発光を制御する。光輝制御回路５３は、車両用計器装置１が稼働するとき、意匠部対応領域ＩＲの画素を発光させる。意匠部対応領域ＩＲの画素の発光色は、白色、赤色、青色など、目盛り意匠４１としての見映えが良い適宜色を選定することができる。また、光輝制御回路５３は、装飾用枠板４０が図２の矢印Ｙ４方向に移動するとき、移動した装飾用枠板４０の位置に相応して、目盛り意匠４１の直下に位置する意匠部対応領域ＩＲを算出し直す。
【００５４】
本実施形態の場合、意匠部対応領域ＩＲの形状は、図３及び図４に示すように、直径Ｄの円形に設定されている。この意匠部対応領域ＩＲの直径Ｄは、図４に示すように、目盛り意匠４１の幅寸法Ｗよりも大きく、且つ、目盛り意匠４１の長さＬよりも小さい値に設定している。このように意匠部対応領域ＩＲの形状及び寸法を設定することで、意匠部対応領域ＩＲが過剰な大きさになることを抑止して、節電を図ることができる。
【００５５】
本実施形態の車両用計器装置１に装備される不図示の見返し板は、図５に示した見返し板１５０に相当するもので、情報表示面１１の情報を表示しない外周部の領域を隠すと共に、情報表示面１１の情報を表示する領域は、切欠により、装置前面に露呈させる。この不図示の見返し板は、主に、コンビネーションメータとしての外周部の意匠を構成し、車両用計器装置１としての見栄えを向上させる。
【００５６】
装飾用枠板４０を図１の矢印Ｙ４方向に移動させる不図示の枠移動機構は、表示画像制御ユニット２０による表示パターンの切り替えによって特定情報ＴＤの表示領域が図１の矢印Ｙ４方向に移動するとき、移動した特定情報ＴＤの周囲が装飾用枠板４０で囲われるように、装飾用枠板４０を支持している意匠板支持枠体５１を、特定情報ＴＤの移動方向（図１の矢印Ｙ４方向）に沿って移動させる。この枠移動機構は、直線移動機構である。
【００５７】
以上に説明した一実施形態の車両用計器装置１の場合、装飾用枠板４０上に設定された目盛り意匠４１の光輝は、装飾用枠板４０の背面に位置するＬＣＤユニット１０上の画素の発光により実現する。即ち、ＬＣＤユニット１０上の一部の領域（意匠部対応領域ＩＲ）の画素が、目盛り意匠４１を光輝させる光源として機能する。そのため、目盛り意匠４１を光輝させるための専用の光源が不要であり、専用の光源を支持する機構や、配線も不要になる。そのため、目盛り意匠４１の光輝用に専用の光源を備える場合と比較すると、大幅に部品を削減することができ、部品削減により製造コストを低減させることができる。
【００５８】
従って、ＬＣＤユニット１０の情報表示面１１の上に重ねて配置される装飾用枠板４０上の目盛り意匠４１を光輝させる意匠を安価に実現することができる。
【００５９】
また、一実施形態の車両用計器装置１の場合、装飾用枠板４０を支持する意匠光輝機構５０の意匠板支持枠体５１は、目盛り意匠４１に対向する領域に、意匠部対応領域ＩＲの画素の発光を目盛り意匠４１に到達させる切欠５１１ａを備えている。そのため、意匠板支持枠体５１が、目盛り意匠４１の光輝を妨げることがない。
【００６０】
また、装飾用枠板４０を支持する意匠光輝機構５０の意匠板支持枠体５１は、装置ケース３０に装備されている機構部材に結合される。そのため、意匠板支持枠体５１が結合される機構部材が、例えば、情報表示面１１上を横断する直線に沿って移動可能な部品とすれば、光輝する装飾用枠板４０がＬＣＤユニット１０の情報表示面１１上で移動して、計器としての見映えを切り替える計器意匠を実現することができる。
【００６１】
また、一実施形態の車両用計器装置１の場合、意匠部対応領域ＩＲの画素の発光を導光板５２により装飾用枠板４０上の目盛り意匠４１に誘導するため、光の漏れで目盛り意匠４１以外の部分が照明されることを抑止して、目盛り意匠４１を確実に光輝させることができる。
【００６２】
また、導光板５２により照明光の配光を均一化することができるため、目盛り意匠４１における輝度のバラツキを低減することができる。
【００６３】
また、一実施形態の車両用計器装置１の場合、装飾用枠板４０は、回転計や速度計などの指針型計器の周囲を縁取るリング状であり、該装飾用枠板４０には、回転計や速度計などの指針型計器の意匠の一部である目盛り意匠４１が装備され、その目盛り意匠４１が光輝される。即ち、指針型計器において光輝する目盛り意匠４１を安価に実現することができ、コストの増加を抑えつつ、指針型計器を備えるコンビネーションメータの見映えを向上させることができる。
【００６４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６５】
例えば、光輝用意匠部を有する計器用意匠板は、指針型計器の周囲を縁取るリング状の装飾用枠板４０に限らない。例えば、ＬＣＤユニット１０の情報表示面１１の情報を表示しない外周部の領域を隠してコンビネーションメータとしての外周部の意匠を構成する見返し板や、ＬＣＤユニット１０の情報表示面１１の上に配置される文字板や、その他の構造用板材を、本発明に係る計器用意匠板とすることも可能である。
【００６６】
また、本発明に係る計器用意匠板上に配置される光輝用意匠部も、上記実施形態に示した目盛り意匠に限らない。例えば、ウォーニング用に装備される各種の図柄の意匠を、光輝用意匠部とすることが可能である。
【００６７】
また、上記実施形態では、意匠部対応領域ＩＲの発光の光を、導光板５２を介して光輝用意匠部である目盛り意匠４１に導くようにしたが、光輝用意匠部と情報表示面１１との間の距離が小さい場合には、導光板５２を省いた構成とすることもできる。即ち、本発明の車両用計器装置では、導光板を省いた構成とすることも可能である。
【００６８】
また、上記実施形態では、計器用意匠板である装飾用枠板４０は、情報表示面１１の上を移動するリング部材であるため、意匠板支持枠体５１を介して不図示の枠移動機構に結合した。しかし、計器用意匠板が情報表示面１１の上を移動しない、装置ケース３０に固定の意匠板である場合には、意匠板支持枠体を設けずに、計器用意匠板を直接装置ケース３０に固定する構造としても良い。即ち、本発明の車両用計器装置では、意匠板支持枠体を省いた構成とすることも可能である。
【００６９】
ここで、上述した本発明に係る車両用計器装置の実施形態の特徴をそれぞれ以下［１］〜［４］に簡潔に纏めて列記する。
【００７０】
［１］  車両の状態を示す種々の情報を情報表示面（１１）に画像表示する液晶表示ユニット（１０）と、
前記液晶表示ユニット（１０）の情報表示面（１１）が前面に露呈するように前記液晶表示ユニット（１０）を支持する装置ケース（３０）と、
前記液晶表示ユニット（１０）の前記情報表示面（１１）の上に重ねて配置されて計器用意匠の一部を構成する計器用意匠板（４０）と、
前記計器用意匠板（４０）上に設定された光輝用意匠部（４１）を光輝させる意匠光輝機構（５０）と、
を備える車両用計器装置（１）であって、
前記意匠光輝機構（５０）は、前記液晶表示ユニット（１０）の前記光輝用意匠部（４１）の直下に位置する意匠部対応領域（ＩＲ）の画素の発光を制御する光輝制御回路（５３）を備え、前記意匠部対応領域（ＩＲ）の画素の発光を前記光輝用意匠部（４１）に照射して、前記光輝用意匠部（４１）を光輝させる
ことを特徴とする車両用計器装置（１）。
【００７１】
［２］  前記意匠光輝機構（５０）は、前記光輝用意匠部（４１）を含む前記計器用意匠板（４０）上の意匠配置領域（４２）の裏面に配置されて前記計器用意匠板（４０）を支持する意匠板支持枠部（５１１）と、該意匠板支持枠部（５１１）から延出して前記装置ケース（３０）に装備されている機構部材に結合される枠部結合部（５１２）と、を有する意匠板支持枠体（５１）を備え、
前記意匠板支持枠部（５１１）は、前記光輝用意匠部（４１）に対向する領域に、前記意匠部対応領域（ＩＲ）の画素の発光を前記光輝用意匠部（４１）に到達させる切欠（５１１ａ）を備えている、
ことを特徴とする上記［１］に記載の車両用計器装置（１）。
【００７２】
［３］  前記意匠光輝機構（５０）は、前記計器用意匠板（４０）上の意匠配置領域（４２）と前記意匠板支持粋体（５１）の意匠板支持枠部（５１１）とに挟持されて、前記意匠部対応領域（ＩＲ）の画素の発光を前記光輝用意匠部（４１）に誘導する導光板（５２）を備えている、
ことを特徴とする上記［２］に記載の車両用計器装置（１）。
【００７３】
［４］  前記計器用意匠板（４０）は、前記情報表示面（１１）に表示される指針型計器の情報の周囲を縁取るリング状の装飾用枠板であり、
前記光輝用意匠部（４１）は、前記指針型計器の情報に関係する意匠の一部として計器用意匠板（４０）上に配列される目盛り意匠で、略直線状の光透過構造に形成されている、
ことを特徴とする上記［３］に記載の車両用計器装置（１）。
【符号の説明】
【００７４】
１  車両用計器装置
１０  ＬＣＤユニット（液晶表示ユニット）
１１  情報表示面
３０  装置ケース
４０  装飾用枠板（計器用意匠板）
４１  目盛り意匠（光輝用意匠部）
４２  意匠配置領域
５０  意匠光輝機構
５１  意匠板支持枠体
５２  導光板
５３  光輝制御回路
５１１  意匠板支持枠部
５１１ａ  切欠
５１２  枠部結合部
ＩＲ  意匠部対応領域
【図１】
2015083948.tif 000003
【図２】
2015083948.tif 000004
【図３】
2015083948.tif 000005
【図４】
2015083948.tif 000006
【図５】
2015083948.tif 000007
【図６】
2015083948.tif 000008
【図７】
2015083948.tif 000009